【手続補正書】
【提出日】平成16年3月26日(2004.3.26)
【手続補正１】
【補正対象書類名】明細書
【補正対象項目名】０００４
【補正方法】変更
【補正の内容】
【０００４】
これに対して画像形成において生産性を向上するには、画像読み取り中に、原稿サイズ情報から原稿サイズに適するサイズの転写材を選択し、予め転写材の給紙を開始し、給紙部のレジストローラの位置にて待機せしめることが有効である。従って、デジタル方式の画像形成装置において生産性を向上するには、原稿サイズや転写材サイズが予め検出または設定されていることが前提となる。ただし、転写材サイズについては、原稿サイズ情報から自動選択することも可能であり、原稿サイズの検出が重要な要素となっている。


【手続補正２】
【補正対象書類名】明細書
【補正対象項目名】０００８
【補正方法】変更
【補正の内容】
【０００８】
第２の方法は、原稿載置トレイ上の横幅規制板の位置により原稿の横幅を検知し、原稿を給送して先端と後端を検知することで搬送方向の長さ（縦）を検知することで、原稿サイズを検知する方法である。この第２の方法においては、搬送路に原稿サイズを検知するセンサを設けることから、原稿を給紙して全長の長さ（縦）だけ送り込んだ後でなければ原稿サイズが検知できず、第１の方法に比ベると僅かに改善されているものの本質的改善には到らず、第１の方法と同様に、原稿を搬送する時間を必要とし、画像形成を開始するまでの時間が遅くなり、複写の生産性が低下してしまうという問題がある。


【手続補正３】
【補正対象書類名】明細書
【補正対象項目名】００１２
【補正方法】変更
【補正の内容】
【００１２】
他方、画像形成の生産性において、同一サイズの原稿である場合は、１枚目の原稿サイズ情報があれば２枚目以降の原稿サイズを検知せず、同様のサイズと見なして原稿サイズ検知工程及び転写材の自動選択の工程を省略し、給紙動作を早期に開始できることから画像形成の生産性を高くすることができる。しかしながら、異種の原稿サイズを対象とする異系列原稿モードを実行した場合には同一サイズの原稿であっても１枚毎に原稿サイズを検知して画像形成を行う必要があり、早期に転写材の給紙をできないため画像形成の生産性が低下するという問題が発生してしまう。


【手続補正４】
【補正対象書類名】明細書
【補正対象項目名】００２６
【補正方法】変更
【補正の内容】
【００２６】
自動原稿給送装置２は、原稿載置トレイ２００、給紙ローラ２０１、分離ローラ２０２を有する原稿給紙部２０３と、原稿給紙部２０３から給紙された原稿ｄの曲がりの修正及びタイミングをとるレジストセンサＳ５、レジストローラ２１０を有するレジスト部２１１と、原稿読み取り位置２３０へ搬送する搬送ローラ２２０、回転ドラム２２１を有する搬送部２２２と、原稿読み取り位置２３０と、反転ローラ２４０を有する原稿反転部２４１と、排紙ローラ２５０、排紙トレイ２６０とを有し、原稿給紙部２０３の原稿載置トレイ２００に載置された原稿ｄを原稿読み取り位置２３０へ順次搬送して原稿ｄの読み取りを行い、排紙トレイ２６０ヘ排出する。


【手続補正５】
【補正対象書類名】明細書
【補正対象項目名】００２８
【補正方法】変更
【補正の内容】
【００２８】
原稿給紙部２０３の原稿載置トレイ２００には、図２（ａ）に示すように原稿ｄの有無を検知するエンプティセンサで構成される原稿検知センサＳ０と、載置した状態で原稿サイズを検出するための第１原稿サイズ検知手段である第１原稿サイズ検知センサＳ１が設けられている。第１原稿サイズ検知センサＳ１は、搬送方向に垂直な方向の原稿の幅を検出するための原稿幅検知センサＳ１１と、搬送方向における原稿の長さを検出するための原稿長さ検知センサＳ１２とから構成されている。


【手続補正６】
【補正対象書類名】明細書
【補正対象項目名】００２９
【補正方法】変更
【補正の内容】
【００２９】
原稿幅検知センサＳ１１は、原稿載置トレイ２００の両側に原稿を規制して揃えるための規制板２６５を原稿搬送方向に対して垂直な方向に移動可能に設け、この規制板２６５にプレート２６１を設けるプレートの対向する側にはラック２６２が形成され、このラック２６２は回転軸２６３のピニオン２６４に噛み合っている。規制板２６５を原稿ｄの幅に応じて原稿幅方向に移動させることにより、プレート２６１を介して回転軸２６３が回転し、この回転量を原稿幅検知センサＳ１１で検出する。原稿幅検知センサＳ１１は例えばロータリボリュームで構成する。原稿載置トレイ２００に設けられる原稿長さ検知センサＳ１２は、給紙方向の所定位置に配置される複数の原稿長さ検知センサＳ１２ａ〜Ｓ１２ｃから構成されている。


【手続補正７】
【補正対象書類名】明細書
【補正対象項目名】００３３
【補正方法】変更
【補正の内容】
【００３３】
原稿給紙部２０３の下流には、ドラム状の回転ドラム２２１、搬送ローラ２２０が配置され、ドラム状の回転ドラム２２１の周りに搬送ローラ２２０、レジストローラ２１０が配置されこれらの駆動により原稿ｄが読み取り位置２３０へ搬送される。レジストローラ２１０の近傍の下流には、原稿検知センサＳ６が設けられ、原稿読み取りセンサ及び原稿サイズを検知する第２原稿サイズ検知手段である第２原稿サイズ検知センサＳ２を兼ねる。原稿検知センサＳ６から構成される原稿読み取りセンサにより原稿ｄの先端が検知されると、原稿読み取りトリガ信号が出力される。原稿ｄは先端が原稿読み取りセンサにて検知され、所定時間後にレジストローラ２１０に到達したところで一旦停止し、待機状態となる。制御部から読み取り開始信号がくると、原稿ｄの搬送を再開し、読み取り位置２３０を通過するときに、読み取り手段により原稿の画像が読み取られる。


【手続補正８】
【補正対象書類名】明細書
【補正対象項目名】００３４
【補正方法】変更
【補正の内容】
【００３４】
また、原稿検知センサＳ６から構成される第２原稿サイズ検知センサＳ２は、原稿ｄの先端及び後端の検知を行うことで、原稿ｄの搬送方向に対応する原稿長さを検知する。また、定型サイズの原稿の幅に対応する位置に、それぞれセンサを配置することで原稿の幅を検知することができる。また、原稿検知センサＳ６から構成される第２原稿サイズ検知センサＳ２にラインセンサを用いると原稿の幅、及び長さを検知することができるため好ましい。


【手続補正９】
【補正対象書類名】明細書
【補正対象項目名】００３９
【補正方法】変更
【補正の内容】
【００３９】
画像形成部５は、画像信号が画像書込み部４に入力されると画像記録動作を開始する。すなわち、感光体ドラム３１は矢印のように時計方向に回転し、除電された後、帯電器３２により電荷を与えられているので、画像書込み部４によりレーザビームによって感光体ドラム３１上には原稿ｄの像に対応した静電潜像が形成される。その後、感光体ドラム３１上の前記静電的な潜像は、現像器３３の現像剤によって反転現像が行われ可視のトナー像となる。


【手続補正１０】
【補正対象書類名】明細書
【補正対象項目名】００４０
【補正方法】変更
【補正の内容】
【００４０】
一方、給紙部６に装填された給紙カセット４１Ａ〜４１Ｄからは前記第１または第２原稿サイズ検知センサＳ１、Ｓ２からの情報により自動選択されたサイズの転写材Ｐを１枚ずつ搬出ローラ４２Ａ〜４２Ｄによって搬出し、搬出ローラ４３を介して画像の転写部３４に向かって給紙する。給紙された転写材Ｐは、感光体ドラム３１上のトナー像と同期して作動するレジストローラ４４によって感光体ドラム３１上に送出される。この転写材Ｐには、転写器３４の作用により、感光体ドラム３１上のトナー像が転写され、感光体ドラム３１上から分離されたのち、搬送ベルト４５を経て定着装置３７へ送られ、溶融定着された後、排紙ローラ３８により装置外のトレイ５４へ排出される。


【手続補正１１】
【補正対象書類名】明細書
【補正対象項目名】００４１
【補正方法】変更
【補正の内容】
【００４１】
感光体ドラム３１はさらに回転を続け、その表面に転写されずに残留したトナーは、クリーニング装置３９において除去清掃され、再び除電された後帯電器３２により一様に電荷の付与を受けて、次回の画像形成のプロセスに入る。


【手続補正１２】
【補正対象書類名】明細書
【補正対象項目名】００４６
【補正方法】変更
【補正の内容】
【００４６】
制御部２０は、これらのセンサ情報及び設定情報に基づき、給紙クラッチ３３２、レジストクラッチ３４０、ＤＣモータＭ１及びパルスモータＭ２、ＤＣソレノイドＳＯＬ２及び後述する転写材選択手段を制御する。ＤＣモータＭ１は、回転ドラム２２１、給紙ローラ２０１及び分離ローラ２０２を駆動すると共に、反転ローラ２４０を駆動する。パルスモータＭ２は、レジストローラ２１０、搬送ローラ２２０及び排紙ローラ２５０を駆動する。また、ＤＣソレノイドＳＯＬ２は、反転ローラ２４０の圧着を所定時間解除させる。


【手続補正１３】
【補正対象書類名】明細書
【補正対象項目名】００４８
【補正方法】変更
【補正の内容】
【００４８】
図４において、まず最初にステップａ１では、原稿載置トレイ２００上に原稿が載置されると、原稿検知センサＳ０により原稿有りが検知され、ステップａ２に移行して第１原稿サイズ検知センサＳ１により原稿サイズを検知し、ステップａ３にて該原稿サイズが定型サイズか否かが判定される。定型サイズであると判定された場合は、ステップａ４で複写釦がＯＮされるとステップａ５に移行し、原稿サイズと合致するサイズの転写材及び収納されている給紙トレイを選択してセットする。


【手続補正１４】
【補正対象書類名】明細書
【補正対象項目名】００５６
【補正方法】変更
【補正の内容】
【００５６】
ステップｂ４では、第１原稿サイズ検知センサＳ１により原稿サイズを検知し、ステップｂ５にて、定型サイズか否かが判定される。定型サイズであると判定された場合は、ステップｂ６で複写釦がＯＮされるとステップｂ７に移行し、原稿サイズと合致するサイズの転写材及び収納されている給紙トレイを選択してセットする。ステップｂ５で定型サイズでないと判定された場合はステップｂ１１に移行する。


【手続補正１５】
【補正対象書類名】図面
【補正対象項目名】図１
【補正方法】変更
【補正の内容】
【図１】
2000203732.tif 000001
【手続補正１６】
【補正対象書類名】図面
【補正対象項目名】図２
【補正方法】変更
【補正の内容】
【図２】
2000203732.tif 000002
【手続補正１７】
【補正対象書類名】図面
【補正対象項目名】図３
【補正方法】変更
【補正の内容】
【図３】
2000203732.tif 000003
【手続補正１８】
【補正対象書類名】図面
【補正対象項目名】図４
【補正方法】変更
【補正の内容】
【図４】
2000203732.tif 000004
【手続補正１９】
【補正対象書類名】図面
【補正対象項目名】図５
【補正方法】変更
【補正の内容】
【図５】
2000203732.tif 000005
【手続補正２０】
【補正対象書類名】図面
【補正対象項目名】図６
【補正方法】変更
【補正の内容】
【図６】
2000203732.tif 000006